(57)【要約】  本開示は、化合物Ｉを含む農薬の分野、および芝草上の真菌疾患を防除するためのその使用に関する。【化１】2020526182.tif 000009
2020526182.tif 000002
【特許請求の範囲】
【請求項１】
疾患にかかるリスクがある芝草上の真菌疾患を防除する方法であって、植物体の少なくとも一部分および／または植物体に隣接する領域を、化合物Ｉを含む組成物と接触させる工程を含み、
【化１】
2020526182.tif 000007
前記化合物が植物病原体に対して有効である、方法。
【請求項２】
前記組成物が、以下である、請求項１に記載の方法。
【化２】
2020526182.tif 000008
【請求項３】
前記組成物が、殺虫剤、除草剤、および殺菌剤からなる群から選択される１つの追加の農学的に活性な成分のうちの少なくとも１つをさらに含む、請求項１に記載の方法。
【請求項４】
前記真菌病原体が、芝草上のダラースポット（Ｓｃｌｅｒｏｔｉｎｉａ  ｈｏｍｏｅｏｃａｒｐａ）および芝草上の炭疽病（Ｇｌｏｍｅｒｅｌｌａ  ｇｒａｍｉｎｉｃｏｌａ、Ｃｏｌｌｅｔｏｔｒｉｃｈｕｍ  ｇｒａｍｉｎｉｃｏｌａ）の病原からなる群から選択される、請求項１に記載の方法。
【請求項５】
前記組成物が、殺虫剤、除草剤、および殺菌剤からなる群から選択される１つの追加の農学的に活性な成分のうちの少なくとも１つをさらに含む、請求項２に記載の方法。
【請求項６】
前記真菌病原体が、芝草上のダラースポット（Ｓｃｌｅｒｏｔｉｎｉａ  ｈｏｍｏｅｏｃａｒｐａ）および芝草上の炭疽病（Ｇｌｏｍｅｒｅｌｌａ  ｇｒａｍｉｎｉｃｏｌａ、Ｃｏｌｌｅｔｏｔｒｉｃｈｕｍ  ｇｒａｍｉｎｉｃｏｌａ）の病原からなる群から選択される、請求項２に記載の方法。
【発明の詳細な説明】
【技術分野】
【０００１】
関連出願の相互参照
本出願は、２０１７年５月２日に出願された米国仮特許出願第６２／５００１９５号の利益を主張するものであり、この仮特許出願は参照により本明細書に明示的に組み込まれる。
【０００２】
本開示は、芝草上の真菌疾患（fungal diseases）を防除するための（Ｓ）−１，１−ビス（４−フルオロフェニル）プロパン−２−イル（３−アセトキシ−４−メトキシピコリノイル）−Ｌ−アラニン酸塩の使用の分野に関する。
【発明の概要】
【０００３】
殺菌剤は、天然または合成起源の化合物であり、農学的に関連性のある真菌によって引き起こされる被害に対して植物体を保護および治療する働きをする。一般的に、あらゆる状況で１つの殺菌剤が有用であるということはない。場合によっては、自然発生する病原体には、いくつかの種類の殺菌剤に対して耐性ができている。その結果、代替的な作用機序、より良好な性能を有し得、使用がより容易でより安価な殺菌剤を生成するための研究が続けられている。
【０００４】
本開示は、（Ｓ）−１，１−ビス（４−フルオロフェニル）プロパン−２−イル（３−アセトキシ−４−メトキシピコリノイル）−Ｌ−アラニン酸塩（化合物Ｉ）および殺菌剤としてのその使用に関する。化合物Ｉは、子嚢菌、担子菌、不完全菌類、および卵菌に対する保護を提供し得る。
【０００５】
本開示の一実施形態は、病原体由来の疾患にかかるリスクがある植物体における病原体誘導性疾患を防除する方法であって、植物体または植物体に隣接する領域を、化合物Ｉを含む組成物と接触させることを含む、方法を含む。
【０００６】
本開示の別の実施形態は、植物病原性微生物による侵襲に対して植物体を保護するか、または植物病原性微生物が蔓延する植物体を治療するための化合物Ｉの使用であって、化合物Ｉまたは化合物Ｉを含む組成物を、土壌、植物体、植物体の一部、葉、および／または種子に適用することを含む、化合物Ｉの使用である。
【０００７】
さらに、本開示の別の実施形態は、植物病原性微生物による侵襲に対して植物体を保護し、かつ／または植物病原性微生物が蔓延する植物体を治療するために有用な組成物であって、化合物Ｉおよび植物学的に許容可能な担体材料を含む、組成物である。
【発明を実施するための形態】
【０００８】
本開示の１つの例示的な実施形態は、真菌の増殖を防除するための混合物であって、混合物が化合物Ｉを含む、混合物を含む。
【化１】
2020526182.tif 000003
【０００９】
本開示の化合物Ｉは、化合物Ｉまたは化合物Ｉを含む製剤のいずれかとして、様々な既知の技術のうちのいずれかによって適用され得る。例えば、植物の商業的価値を損なうことなく、化合物Ｉを植物の根、茎、種子、花、または葉に適用することができる。化合物Ｉは、葉面噴霧、土壌被水、土壌注入、または種子処理としても適用することができる。材料は、例えば、溶液、粉塵、湿式粉末、流動性濃縮物、または乳化性濃縮物として、一般的に使用される製剤タイプのうちのいずれかの形態で適用され得る。
【００１０】
好ましくは、本開示の化合物Ｉは、植物学的に許容可能な担体と共に化合物Ｉを含む製剤の形態で適用される。濃縮製剤は、適用のために水もしくは他の液体中に分散されていてもよく、または製剤は、粉塵様または顆粒状であってもよく、その後、さらなる処理なしに適用され得る。製剤は、農業用化学技術における従来の手順に従って調製することができる。
【００１１】
本開示は、殺菌剤として送達および使用するために化合物Ｉが製剤化され得るすべての媒体を企図している。典型的には、製剤は、水性懸濁液または乳濁液として適用される。こうした懸濁液または乳濁液は、湿式粉末として通常知られている固体、または乳化性濃縮物、水性懸濁液、もしくは懸濁液濃縮物として通常知られている液体である、水溶性、水懸濁性、または乳化性の製剤から生成され得る。容易に理解されるように、抗真菌剤として化合物Ｉの活性を有意に阻害することなく、化合物Ｉが所望の実用性を生じるという条件で、化合物Ｉが添加され得る任意の材料を使用することができる。
【００１２】
水分散性顆粒剤を形成するために圧縮され得る湿式粉末は、化合物Ｉ、不活性担体、および界面活性剤を含む均質混合物を含む。湿式粉末中の化合物Ｉの濃度は、湿式粉末の総重量に基づいて約１０重量パーセント〜約９０重量パーセント、より好ましくは約２５重量パーセント〜約７５重量パーセントであり得る。湿式粉末製剤の調製において、化合物Ｉは、パイロフィライト、タルク、チョーク、石膏、フラー土、ベントナイト、アタパルジャイト、デンプン、カゼイン、グルテン、モンモリロナイト粘土、珪藻土、精製ケイ酸塩など、任意の微細分割固体と混ぜ合わされ得る。このような作業では、微細分割担体および界面活性剤は、典型的には、化合物Ｉと混成され、粉砕される。
【００１３】
化合物Ｉの乳化性濃縮物は、濃縮物の総重量に基づいて、好適な液体中に、化合物Ｉの約１０重量パーセント〜約５０重量パーセントなどの好都合な濃度を含み得る。化合物Ｉは、水混和性溶媒または水不混和性有機溶媒の混合物のいずれかである不活性担体、および乳化剤の中に溶解され得る。濃縮物を水および油で希釈して、水中油乳濁液の形態で噴霧混合物を形成することができる。有用な有機溶媒としては、芳香族、特に、石油の高沸点ナフタレン部分およびオレフィン部分（重質芳香族ナフサなど）が挙げられる。他の有機溶媒、例えば、ロジン誘導体を含むテルペン溶媒、脂肪族ケトン（シクロヘキサノンなど）、および複合アルコール（２−エトキシエタノールなど）を使用することもできる。
【００１４】
本明細書で有益に用いられ得る乳化剤は、当業者により容易に決定されることができ、様々な非イオン性、陰イオン性、陽イオン性、および両性乳化剤、または２つ以上の乳化剤の混成物を含む。乳化性濃縮物の調製に有用な非イオン性乳化剤の例としては、ポリアルキレングリコールエーテルならびにアルキルおよびアリールフェノールの凝縮生成物、脂肪族アルコール、脂肪族アミンまたはエチレンオキシドを含む脂肪酸、エトキシル化アルキルフェノールなどのプロピレンオキシド、およびポリオールまたはポリオキシアルキレンで可溶化されたカルボン酸エステルが挙げられる。陽イオン性乳化剤には、四級アンモニウム化合物および脂肪アミン塩が含まれる。陰イオン性乳化剤には、アルキルアリールスルホン酸の油溶性塩（例えば、カルシウム）、油溶性塩または硫酸化ポリグリコールエーテル、およびリン酸化ポリグリコールエーテルの適切な塩が含まれる。
【００１５】
本発明の化合物Ｉの乳化性濃縮物の調製に用いられ得る代表的な有機液体は、キシレン、プロピルベンゼン分画などの芳香族液体、または混合ナフタレン分画、鉱油、フタル酸ジオクチルなどの置換芳香属有機液体、灯油、様々な脂肪酸のジアルキルアミド、特に脂肪族グリコールおよびグリコール誘導体（ｎ−ブチルエーテルなど）、ジエチレングリコールのメチルエーテルまたはメチルエーテル、ならびにトリエチレングリコールのメチルエーテルなどのジメチルアミドである。２つ以上の有機液体の混合物も、乳化性濃縮物の調製に用いられ得る。有機液体には、キシレン、およびプロピルベンゼン画分が含まれ、場合によってはキシレンが最も好ましい。表面活性分散剤は、典型的には、液体製剤中で、化合物Ｉとの分散剤の組み合わせ重量に基づいて０．１〜２０重量パーセントの量で用いられる。製剤はまた、他の適合する添加剤、例えば、植物成長調節剤および農業で使用される他の生物学的に活性な化合物を含有することもできる。
【００１６】
化合物Ｉを含む水性懸濁液は、水性懸濁液の総重量に基づいて、約５〜約５０重量パーセントの範囲の濃度で水性媒体中に分散され得る。懸濁液は化合物Ｉを微細に粉砕し、上記に考察された同じタイプから選択される水および界面活性剤から構成される媒体に粉砕された材料を強力に混合することによって調製される。無機塩および合成ゴムまたは天然ゴムなどの他の成分を加えて、水性媒体の密度および粘度を増加させることもできる。
【００１７】
化合物Ｉは、顆粒製剤としても適用され得るが、これは土壌への適用に特に有用である。顆粒製剤は、一般的に、アタパルジャイト、ベントナイト、ジアトマイト、粘土、肥料、または類似の安価な物質などの粗く分割された不活性材料から全体的または大部分がなる不活性担体中に分散された、化合物Ｉの顆粒製剤の総重量に基づいて、約０．５〜約１０重量パーセント（この場合、０．１０％まで下降し得る）含有される。このような製剤は、好適な溶媒中に化合物Ｉを溶解し、それを約０．５〜約３ｍｍの範囲の適切な粒子サイズに予め成形された顆粒担体に適用することによって調製される。好適な溶媒は、化合物Ｉが実質的または完全に可溶性である溶媒である。このような製剤はまた、担体と化合物Ｉとの生地またはペーストを作製し、粉砕し、乾燥させて、所望の顆粒粒子を得ることによって調製され得る。
【００１８】
化合物Ｉを含有する粉塵は、粉末形態の化合物Ｉを、好適な粉塵状の農業用担体、例えば、カオリン粘土、および粉砕された火山岩などと均質に混合することによって調製され得る。粉塵は、好適には、粉塵の総重量に応じて、化合物Ｉの約１重量％〜約１０重量％を含有し得る。
【００１９】
製剤は、さらに、標的作物および微生物に対する化合物Ｉの堆積、湿潤、および浸透を向上させるためのアジュバント界面活性剤を含有し得る。これらのアジュバント界面活性剤は、任意選択的に、製剤の構成要素として、またはタンク混合物として用いられ得る。アジュバント界面活性剤の量は、典型的には、水の噴霧体積に基づいて、約０．０１体積％〜約１．０体積％、好ましくは約０．０５体積％〜約０．５体積％で変化するであろう。好適なアジュバント界面活性剤としては、エトキシル化ノニルフェノール、エトキシル化合成アルコールまたはエトキシル化天然アルコール、エステルまたはスルホコハク酸の塩、エトキシル化有機ケイ素、エトキシル化脂肪アミン、および鉱油もしくは植物油と界面活性剤との混成物が挙げられるがこれらに限定されない。製剤はまた、米国特許出願第１１／４９５，２２８号に開示されているものなどの水中油乳濁液を含んでもよく、それらの開示は、本明細書に参照により明示的に組み込まれる。
【００２０】
製剤は、任意選択的に、他の農薬化合物を含有する組み合わせを含み得る。このような追加の農薬化合物は、適用のために選択される培地中の本発明の化合物に適合し、かつ本発明の化合物の活性に拮抗しない、殺菌剤、殺虫剤、除草剤、抗線虫剤、殺ダニ剤、殺菌剤、またはそれらの組み合わせであり得る。したがって、このような実施形態では、他の農薬化合物は、同じかまたは異なる農薬使用のための補足的な毒性物質として用いられる。化合物Ｉおよび組み合わせでの農薬化合物は、概して、１：１００〜１００：１の重量比で存在し得る。
【００２１】
本開示の化合物Ｉはまた、殺菌性混合物およびそれらの相乗的混合物を形成するために他の殺菌剤と組み合わせることもできる。本開示の化合物Ｉは、１つ以上の他の殺菌剤と併せて適用されて、より多種多様な望ましくない疾患を防除することが多い。他の殺菌剤（複数可）と併せて使用される場合、現在請求されている化合物Ｉは、他の殺菌剤（複数可）と共に製剤化され得るか、他の殺菌剤（複数可）とタンク混合され得るか、または他の殺菌剤（複数可）と共に連続して適用され得る。このような他の殺菌剤には、２−（チオシアナートメチルチオ）−ベンゾチアゾール、２−フェニルフェノール、８−ヒドロキシキノリン硫酸塩、アメトクトラジン、アミスルブロム、アンチマイシン、Ａｍｐｅｌｏｍｙｃｅｓ  ｑｕｉｓｑｕａｌｉｓ、アザコナゾール、アゾキシストロビン、
Ｂａｃｉｌｌｕｓ  ｓｕｂｔｉｌｉｓ、Ｂａｃｉｌｌｕｓ  ｓｕｂｔｉｌｉｓ菌株ＱＳＴ７１３、ベナラキシル、ベノミル、ベンチアバリカルブ−イソプロピル、ベンジルアミノベンゼン−スルホン酸（ＢＡＢＳ）塩、重炭酸塩、ビフェニル、ビスメルチアゾール、ビテルタノール、ビキサフェン、ブラストサイジン−Ｓ、ホウ砂、Ｂｏｒｄｅａｕｘ混合物、ボスカリド、ブロムコナゾール、ブピリメート、多硫化カルシウム、カプタホール、カプタン、カルベンダジム、カルボキシン、カルプロパミド、カルボン、クラザフェノン、クロロネブ、クロロタロニル、クロゾリネート、Ｃｏｎｉｏｔｈｙｒｉｕｍ  ｍｉｎｉｔａｎｓ、水酸化銅、オクタン酸銅、塩基性塩化銅、硫酸銅、硫酸銅（三塩基酸）、酸化第一銅、
シアゾファミド、シフルフェナミド、シモキサニル、シプロコンゾール、シプロジニル、ダゾメット、デバカルブ、ジアンモニウムエチレンビス−（ジチオカルバメート）、ジクロフルアニド、ジクロロフェン、ジクロシメット、ジクロメジン、ジクロラン、ジエトフェンカルブ、ジフェノコナゾール、ジフェンゾクワットイオン、ジフルメトリン、ジメトモルフ、ジモキシストロビン、ジニコナゾール、ジニコナゾール−Ｍ、ジノブトン、ジノカップ、ジフェニルアミン、ジチアノン、ドメモルフ、ドメモルフアセテート、ドジン、ドジン遊離塩基、エジフェンフォス、エネストロビン、エネストロブリン、エポキシコナゾール、エタボキサム、エトキシクイン、エトリジアゾール、ファモキサドン、フェナミドン、フェナリモル、フェンブコナゾール、フェンフラム、フェンヘキサミド、フェノキサニル、フェンピクロニル、フェンプロピジン、フェンプロピモルフ、フェンピラザミン、フェンチン、フェンチンアセテート、水酸化フェンチン、フェルバム、フェリムゾン、フルアジナム、フルジオキオニル、フルモルフ、フルオピコリド、フルオピラム、フルオロイミド、フルオキサストロビン、フルキンコナゾール、フルシァゾール、フルスルファミド、フルチアニル、フルトラニル、フルトリアフォル、フルキサピリロキサド、フォルペット、ホルムアルデヒド、ホセチル、ホセチル−ハルミニウム、フベリダゾール、フララキシル、フラメトピル、グアザチン、グアザチンアセテート、
Ｇｙ−８１、ヘキサクロロベンゼン、ヘキサコナゾール、ヒメキサゾール、イマザリル、イマザリル硫酸塩、イミベンコナゾール、イミノクタジン、イミノクタジン、トリアセテート、イミノクタジントリス（アルベシル酸塩）、イオドカルブ、イプコナゾール、イプフェンピラゾロン、イプロベンホス、イプロジオン、イプロバルカルブ、イソプロチオラン、イソピラザム、イソチアニル、カスガマイシン、カスガマイシン塩酸塩水和物、クレソキシムメチル、ラミナリン、マンコッパー、マンコゼブ、マンジプロパミド、マネブ、メフェノキサム、メパニピリム、メプロにル、メプチル−ジノカップ、塩化第二水銀、酸化第二水銀、塩化第一水銀、メタラキシル、
メタキシル−Ｍ、メタム、メタム−アンモニウム、メタム−カリウム、メタム−ナトリウム、メチコナゾール、メタスルホカルブ、ヨウ化メチル、メチルイソチオシアネート、メチラム、メトミンストロビン、メトラフェノン、ミルディオマイシン、ミクロブタニル、ナバム、ニトロタル−イソプロピル、ヌアリモル、オクチリノン、オフラース、オレイク酸（脂肪酸）、オリサストロビン、オキサジキシル、オキシン銅、オキポコナゾールフマレート、オキシカルボキシン、ペフラゾエート、ペンコナゾール、ペンチクロン、ペンフルフェン、ペンタクロロフェノール、ペンタクロロフェニルラウラート、ペンチオピラド、フェニル酢酸フェニル水銀、ホスホン酸、フタリド、ピコキシストロビン、ポリオキシンＢ、ポリオキシン、ポリオキソリム、炭酸水素カリウム、ヒドロキシキノリン硫酸カリウム、プロペンザノール、ポロコロラズ、プロシミドン、プロパモカルブ、プロパモカルブ塩酸塩、プロピコナゾール、プロピネブ、プロクイナジド、プロチオコナゾール、ピラクロストロビン、ピラメトストロビン、ピラオキシストロビン、ピラゾホス、ピリベンカルブ、ピリブチカルブ、ピリフェノックス、ピリメタニル、ピリオフェノン、ピロキロン、キノカルミン、キノキシフェン、キントゼン、Ｒｅｙｎｏｕｔｒｉａ  ｓａｃｈａｌｉｎｅｎｓｉｓ抽出物、セダキサン、シルチオファム、シメコナゾール、ナトリウム２−フェニルフェノキシド、炭酸水素ナトリウム、
ペンタクロロフェノ酸ナトリウム、スピロキサミン、硫黄、ＳＹＰ−Ｚ０４８、タールオイル、テブコナゾール、テトラクキン、テトラクキン、テトラセン、テトラセン、テトラセン、テトラセン、テトラセン、テトラセン、テトラクエン、テトラセン、テトラセン、テトラセン、テトラセン、テトラセン、テトラセン、テトラセン、テトラセン、テトラセン、テトラセン、テトラセン、トリフェナレン、ジンニブ、ジラム、ジンクロリン、ザインｂ、ジラム  カンジダオレフィン、オキシ胞胞体、グリアジウムｓｐｐ．フォーバイオバーゼジガンティ、ストレプトミングリセロビリジス、トリコデルマｓｐｐ．、（ＲＳ）−−Ｎ−（３，５−ジクロロフェニル）−２−（メトキシメチル）−シンイニド、１，２−ジクロロプロパン、１，３−ジクロロ−１，１，３，３−テトラフルオロアセトン水和物、
１−クロロ−２，４−ジニトロナフタレン、１−クロロ−２−ニトロプロパン、２−（２−ヘプタデシル−２−イミダゾリン−１−イル）エタノール、２，３−ジヒドロ−５−フェニル−１，４−ジチ−イン１，１，４，４−テトラオキシド、２−酢酸メトキシエチル水銀、２−塩化メトキシエチル水銀、２−ケイ酸メトキシエチル水銀、３−（４−クロロフェニル）−５−メチルロダニン、４−（２−ニトロプロップ−１−エニル）チオシアン酸フェニル、アミノピリフェン、アンプロピルフォス、アニラジン、アジチラム、バリウムポリスルフィド、Ｂａｙｅｒ  ３２３９４、ベノダニル、ベンキノックス、ベンタウロン、ベンザマクリル、ベンザマクリル−イソブチル、ベンザモルフ、ベンゾビンジフルピル、ビナパクリル、ビス（メチル水銀）硫酸塩、ビス（トリブチルチン）酸化物、ブチオベート、カドミウム  カルシウム銅クロム酸亜鉛硫酸塩、カルバモルフ、ＣＥＣＡ、クロベンチアゾン、クロラニホルメタン、クロルフェナゾール、クロルキノックス、クリムバゾール、銅ビス（３−サリチル酸フェニル）、銅亜鉛クロム酸塩、コモキシストロビン、クフラネブ、硫酸第二銅ヒドラジニウム、クプロバム、シクラフラミド、シペンダゾール、シプロフラム、デカフェンチン、
ジクロベンチアゾクス、ジクロン、ジクロゾリン、ジクロブトラゾール、ジメチルイミル、ジノクトン、ジノスルフォン、ジノテルボン、ジピメチトロン、ジピリチオン、ジタリフォス、ドジシン、ドラゾキオロン、ＥＢＰ、エノキサストロビン、ＥＳＢＰ、エタコナゾール、エテム、エチリン、フェナミノスルフ、フェナミンストロビン、フェナパニル、フェニトロパン、フェンピコシサミド、フルイオンダピル、フルオピモニド、フルオトリマゾール、フルフェノキシストロビン、フルカルバニル、フルコナゾール、フルコナゾール−シス、フルメクシクロックス、フロパネート、グリオジン、グリセオフルビン、ハタクリネート、Ｈｅｒｃｕｌｅｓ  ３９４４、ヘキシルチオホス、ＩＣＩＡ０８５８、インピルフルキサム、イプフェントリフルコナゾール、イプフルフェノキン、イソフェタミド、イソフルシプラム、イソパムフォス、
イソバルエジオン、マンデストビン、メベニル、メカルビンジド、メフェントリフルコナゾール、メタゾキオロン、メスフロキサム、メチル水銀ジシアンジアミド、メトスルホバックス、メチルテトラプロール、ミルネブ、ムコクロル無水塩、ミクロゾリン、Ｎ−３，５−ジクロロフェニル−スクシンイミド、Ｎ−３−ニトロフェニルイタコンイミド、ナタマイシン、Ｎ−エチルマーキュリオ−４−トルエンスルホンアニリド、ニッケルビス（ジメチルジチオカルバミン酸）、ＯＣＨ、オキサチアピプロリン、フェニル水銀ジメチルジチオカルバマート、硝酸フェニル水銀、フォスジフェン、ピカルブトラゾクス、プロチオカルブ、プロチオカルブ塩酸塩、ピジフルメトフェン、ピラカルボリド、ピラプロポイン、ピラジフルミド、ピリダクロメチル、ピリジニトリル、ピリゾキサゾール、ピロキシクロル、ピロキシフル、キナセトール、キナセトール硫酸塩、キナザミド、キンコナゾール、キノフメリン、ラベンザゾール、サリチルアニリド、ＳＳＦ−１０９、スルトロペン、テコラム、チアジフルオル、チシオフェン、チオクロルフェンフィム、チオファネート、チオキノックス、チオキシミド、トリアミホス、トリアリモール、トリアズブチル、トリクルアミド、トリクロピリカルブ、トリフルメゾピリム、ウルバシド、ザリラミド、およびそれらの任意の組み合わせが含まれ得る。
【００２２】
さらに、本発明の化合物Ｉは、適用のために選択される培地中の本発明の化合物に適合し、かつ化合物Ｉの活性に拮抗せずに、殺菌性混合物およびそれらの相乗的混合物を形成する、殺虫剤、抗線虫剤、殺ダニ剤、殺節足動物剤、殺菌剤、またはそれらの組み合わせであり得る。本開示の化合物Ｉを、１つ以上の他の農薬と併せて適用して、より多種多様な望ましくない害虫を防除することができる。他の殺虫剤と併せて使用される場合、現在請求されている化合物Ｉは、他の殺虫剤（複数可）と共に製剤化され得るか、他の殺虫剤（複数可）とタンク混合され得るか、または他の殺虫剤（複数可）と共に連続して適用され得る。典型的な殺虫剤としては、アロサミジンおよびチューリンゲンシンなどの抗生物質殺虫剤、スピノサドおよびスピネトラムなどのマクロサイクリック乳酸殺虫剤、アバメクチン、ドラメクチン、エマメクチン、エプリオメクチン、イベルメクチン、およびセラメクチンなどのアベルメクチン殺虫剤、レピメクチン、ミルベメクチン、ミルベマイシンオキシム、およびモキシデクチンなどのミルベマイシン殺虫剤、
ベンダイオカルブおよびカルバリルなどのカルバメート殺虫剤、ベンフラカルブ、カルボフラン、カルボスルファン、デカルボフラン、およびフラチオカルブなどのベンゾフラニルメチルカルバメート殺虫剤、ジミタン、ジメチラン、ヒキキンカルブ、およびピリミカルブなどのジメチルカルバメート殺虫剤、アラニカルブ、アルジカルブ、アルドキシカルブ、ブトカルボキシム、ブトキシカルボキシム、メソミル、ニトリルカルブ、オキサミル、タジムカルブ、チオカルボキシム、チオジカルブ、およびチオファノックスなどのオキシムカルバメート殺虫剤、アリキシカルブ、アミノカルブ、ブフェンカルブ、ブタタルブ、カルバノレート、クロエトカルブ、ジクレシル、ジオキサカルブ、ＥＭＰＣ、エチオフェンカルブ、フェンタカルブ、フェノブカルブ、イソプロカルブ、メチオカルブ、メトルカルブ、
メキサカルベート、プロマシル、プロメカルブ、プロポキスル、トリメタカルブ、ＸＭＣ、およびキシリルカルブなどのフェニルメチルカルバメート殺虫剤、ホウ酸、珪藻土、およびシリカゲルなどの乾燥剤殺虫剤、ブロフラニリド、クロラントラニリプロール、シアントラニリプロール、シクロニリプロール、シハロジアミド、フルベンジアミド、テトラクロラントラニリプロール、およびテトラニリプロールなどのジアミド殺虫剤、
フルキサメタミドなどのジアリールイソキサゾリン殺虫剤、ジネックス、ジノプロップ、ジノサム、およびＤＮＯＣなどのジニトロフェノール殺虫剤、バリウムヘキサフルオロケイ酸塩、氷晶石、フッ化ナトリウム、ヘキサフルオロケイ酸ナトリウム、およびスルフルラミドなどのフッ素殺虫剤、アミトラズ、クロロジメホルム、ホルメタネート、およびフォルムパラネートなどのホルムアミジン殺虫剤、アクリロニトリル、二硫化炭素、四塩化炭素、クロロホルム、クロロピクリン、パラジクロロベンゼン、１，２−ジクロロプロパン、ギ酸エチル、二臭化エチレン、二塩化エチレン、エチレンオキシド、シアン化水素、ヨードメタン、臭化メチル、メチルクロロフォルム、塩化メチレン、ナフタリン、ホスフィン、フッ化スルフリル、およびテトラクロルエタンなどの燻蒸剤殺虫剤、
ホウ砂、多硫化カルシウム、オレイン酸銅、塩化第一水銀、チオシアン酸カリウム、およびチオシアン酸ナトリウムなどの無機殺虫剤、無機殺虫剤ビストリフルロン、ブプロフェジン、クロルフルアズロン、サイロマジン、ジフルベンズロン、フルシクロクスロン、フルフェノクスロン、ヘキサフルムロン、ルフェヌロン、ノバルロン、ノビフルムロン、ペンフルロン、テフルベンズロン、およびトリフルムロンなどのキチン合成阻害剤、エポフェノナン、フェノキシカルブ、ハイドロプレン、キノプレン、メソプレン、ピリプロキシフェン、およびトリプレンなどの幼若ホルモン類似体、幼若ホルモンＩ、幼若ホルモンＩＩ、および幼若ホルモンＩＩＩなどの幼若ホルモン、ジクロロメゾチアズおよびトリフルメゾピリムなどのメソイオン殺虫剤、クロマフェノジド、ハロフェノジド、メトキシフェノジド、およびテブフェノジドなどの脱皮ホルモンアゴニスト、α−エクジソン、およびエクジステロンなどの脱皮ホルモン、ジオフェノランなどの脱皮阻害剤、プレコセンＩ、プレコセンＩＩ、およびプレコセンＩＩＩなどのプレコセン、
ジシクラニルなどの未分類昆虫成長調節剤、ベンスルタップ、カルタップ、チオシクラムおよびチオスルタップなどなどのネライストキシン類似体殺虫剤、チクロピラゾフロルなどのピリジルピラゾール殺虫剤、フロニカミドなどのニコチノイド殺虫剤、クロチアニジン、ジノテフラン、イミダクロプリド、およびチアメトキサムなどのニトログアニジン殺虫剤、ニテンピラム、およびニチアジンなどのニトロメチレン殺虫剤、アセタミプリド、サイクロキサプリド、イミダクロプリド、ニテンピラム、およびチアクロプリドなどのピリジルメチル−アミン殺虫剤、ブロモ−ＤＤＴ、カンフェクロル、ＤＤＴ、ｐｐ’−ＤＤＴ、エチル−ＤＤＤ、ＨＣＨ、ガンマ−ＨＣＨ、リンデン、メトキシクロール、ペンタクロロフェノール、およびＴＤＥなどの有機塩素殺虫剤、
アルドリン、ブロモシクレン、クロルビシクレン、クロルデン、クロルデコン、ディルドリン、ジロール、エンドスルファン、アルファ−エンドスルファン、エンドリン、ＨＥＯＤ、ヘプタクロル、ＨＨＤＮ、イソベンザン、イソドリン、ケレバン、およびマイレックスなどのシクロジエン殺虫剤、ブロムフェンビンホス、クロルフェンビンホス、クロトキシホス、ジクロルボス、ジクロトホス、ジメチルビンホス、ホスピレート、ヘプテノホス、メトクロトフォス、メビンホス、モノクロトホス、ナレド、ナフタロホス、ホスファミドン、プロパホス、ＴＥＰＰ、およびテトラクロルビンホスなどの有機リン酸エステル殺虫剤、ジオキサベンゾホス、ホスメチラン、およびフェントアートなどの有機チオリン酸殺虫剤、アセチオン、アミトン、カズサホス、クロルエトキシホス、クロルメホス、デメフィオン、デメフィオン−Ｏ、デメフィオン−Ｓ、デメトン、デメトン−Ｏ、デメトン−Ｓ、デメトン−メチル、デメトン−Ｏ−メチル、デメトン−Ｓ−メチル、デメトン−Ｓ−メチルスルホン、ジスルホトン、エチオン、エトプロホス、ＩＰＳＰ、イソチオエート、マラチオン、メタクリホス、オキシデメトン−メチル、オキシデプロホス、オキシジスルフォトン、ホレート、スルホテップ、テルブホス、およびチオメトンなどの脂肪族有機チオリン酸殺虫剤、
アミジチオン、シアントエート、ジメトエート、エトエート−メチル、ホルモチオン、メカルバム、オメトエート、プロトエート、ソファミド、およびバミドチオンなどの脂肪族アミド有機チオリン酸殺虫剤、クロロホキシム、ホキシム、およびホキシム−メチルなどのオキシム有機チオリン酸殺虫剤、アザメチホス、クマホス、クミトエート、ジオキサチオン、エンドチオン、メナゾン、モルホチオン、ホサロン、ピラクロホス、ピリダフェンチオン、およびキノチオンなどの複素環有機チオリン酸殺虫剤、ジチクロホスおよびチクロホスなどのベンゾチオピラン有機チオリン酸殺虫剤、アジンホス−エチル、およびアジンホス−メチルなどのベンゾトリアジン有機チオリン酸殺虫剤、ジアリホス、およびホスメットなどのイソインドール有機チオリン酸殺虫剤、イソキサチオンおよびゾラプロフォスなどのイソキサゾール有機チオリン酸殺虫剤、クロルプラゾホスおよびピラゾホスなどのピラゾロピリミジン有機チオリン酸殺虫剤、
クロルピリホスおよびクロルピリホス−メチルなどのピリジン有機チオリン酸殺虫剤、ブタチオホス、ダイアジノン、エトリムホス、リリムフォス、ピリミホス−エチル、ピリミホス−メチル、ピリミドフォス、ピリミテート、およびテブピリムホスなどのピリミジン有機チオリン酸殺虫剤、キナルホス、およびキナルホス−メチルなどのキノキサリン有機チオリン酸殺虫剤、アチダチオン、リチダチオン、メチダチオン、およびプロチダチオンなどのチアジアゾール有機チオリン酸殺虫剤、イサゾホス、およびトリアゾホスなどのトリアゾール有機チオリン酸殺虫剤、アゾトエート、ブロモホス、ブロモホス−エチル、カルボフェノチオン、クロチルオホス、シアノホス、シオチアート、ジカプトン、ジクロフェンチオン、エタホス、ファムフール、フェンクロルホス、フェニトロチオンフェンスルホチオン、フェンチオン、フェンチオン−エチル、ヘテロホス、ヨードフェンホス、メスルフェンホス、パラチオン、パラチオン−メチル、フェンカプトン、フォスニクロロ、プロヘノホス、プロチオホス、スルプロホス、テメホス、トリクロロメタホス−３、およびトリフェノホスなどのフェニル有機チオリン酸殺虫剤、
ブトネート、およびトリクロルホンなどのホスホネート殺虫剤、メカルホンなどのホスホノチオアート殺虫剤、ホノホス、およびトリクロロナートなどのフェニルエチルホスホノチオアート殺虫剤、シアノフェンホス、ＥＰＮ、およびレプトホスなどのフェニルフェニルホスホノチオアート殺虫剤、クルホメート、フェナミホス、ホスチエタン、メホスホラン、ホスホラン、およびピリメタホスなどのホスホルアミデート殺虫剤、アセフェート、イソカルボホス、イソフェンホス、イソフェンホス−メチル、メタミドホス、およびプロペタンホスなどのホスホルアミドチオエート殺虫剤、
ジメホックス、マジドックス、ミパフォクス、およびシュラーダンなどのホスホロジアミド殺虫剤、インドキサカルブなどのオキサジアジン殺虫剤、メトキサジアゾンなどのオキサジアゾリン殺虫剤、ジアリホス、ホスメット、およびテトラメトリンなどのフタルイミド殺虫剤、テブフェンピラド、トレフェンピラドなどのピラゾール殺虫剤、アセトプロール、エチプロール、フィプロニル、ピラフルプロール、ピリプロール、およびバニリプロールなどのフェニルピラゾール殺虫剤、
アクリナトリン、アレスリン、ビオアレトリン、バルトリン、ビフェントリン、カッパ−ビフェントリン、ビオエタノメトリン、クロロプラレトリン、シクレトリン、シクロプロトリン、シフルトリン、ベータ−シフルトリン、シハロトリン、ガンマ−シハロトリン、ラムダ−シハロトリン、シペルメトリン、アルファ−シペルメトリン、ベータ−シペルメトリン、エータ−シペルメトリン、ゼータ−シペルメトリン、シフェノトリン、デルタメトリン、ジメフルトリン、ジメトリン、エンペントリン、フェンフルトリン、フェンピリトリン、フェンプロパトリン、フェンバレレート、エスフェンバレレート、フルシトリネート、フルバリネート、タウ−フルバリネート、フレトリン、ヘプタフルトリン、イミプロトリン、メペルフルトリン、メトフルトリン、エプシロン−メトフルトリン、モムフルオロスリン、エプシロン−モムフルオロスリン、ペルメトリン、ビオペルメトリン、トランスペルメトリン、フェノスリン、プラレスリン、プロフルトリン、ピレスメトリン、レスメトリン、ビオレスメトリン、シスメトリン、テフルトリン、カッパ−テフルトリン、テラレスリン、テトラメトリン、テトラメチルフルトリン、トラロメトリン、およびトランスフルトリンなどのピレスロイドエステル殺虫剤、
エトフェンプロックス、フルフェンプロックス、ハルフェンプロックス、プロトリフェンブテ、およびシラフルオフェンなどのピレスロイドエーテル殺虫剤、フルフェネリム、およびピリミジフェンなどのピリミジンアミド殺虫剤、クロルフェナピルなどのピロール殺虫剤、スピロピジオン、およびスピロテトラマトなどのテトラミン酸殺虫剤、スピロメシフェンなどのテトロン酸殺虫剤、ジアフェンチウロンなどのチオ尿素殺虫剤、フルコフロン、およびスルコフロンなどの尿素殺虫剤、フルアザインドリジン、およびチオキサザフェンなどの未分類の殺線虫剤、およびベンズピリモキサン、クロサンテル、ナフテン酸銅、クロタミトン、ＥＸＤ、フェナザフロル、フェノキサクリム、フルヘキサフォン、フルピリミン、ヒドラメチルノン、イソプロチオラン、マロノベン、メタフルミゾン、ニフルリジド、オキサゾールスルフィル、プリフェナート、ピリダベン、ピリダリル、ピリフルキナゾン、ラフォキサニド、スルホキサフロル、トリアラテン、およびトリアザメートなどの未分類殺虫剤、ならびにこれらの任意の組み合わせが含まれるがこれらに限定されない。
【００２３】
さらに、本発明の化合物Ｉは、適用のために選択される培地中の本発明の化合物に適合し、かつ化合物Ｉの活性に拮抗せずに、殺菌性混合物およびそれらの相乗的混合物を形成する、除草剤と組み合わされ得る。本開示の殺菌性化合物Ｉは、多種多様な望ましくない植物体を防除するために、１つ以上の除草剤と併せて適用され得る。除草剤と併せて使用される場合、現在請求されている化合物Ｉは、他の除草剤（複数可）と共に製剤化され得るか、他の除草剤（複数可）とタンク混合され得るか、または他の除草剤（複数可）と共に連続して適用され得る。典型的な除草剤としては、アリドクロル、ベフルブタミド、ベンザドクス、ベンジプラム、ブロモブチド、カフェンストロール、ＣＤＥＡ、シプラゾール、ジメテナミド、ジメテナミド−Ｐ、ジフェナミド、エプロナズ、エトニプロミド、フェントラザミド、フルポキサム、ホメサフェン、ハロサフェン、イソカルバミド、イソキサベン、ナプロパミド、ナプタラム、ペトキサミド、プロピザミド、キノンアミド、テブタム、およびチアフェンアシルナドノアミドなどの除草剤、クロラノクリル、シザニリド、クロメプロップ、シプロミッド、ジフルフェニカン、エトベンザニド、フェナシュラム、フルフェナセット、フルフェニカン、メフェナセット、メフルイジド、メタミホップ、モナリッド、ナプロアミリド、ペンタノクロール、ピコリナフェン、およびプロパニルなどのアニリド除草剤、
ベンゾイルプロップ、フラムプロップ、およびフラムプロップ−Ｍなどのアリールアラニン除草剤、アセトクロル、アラクロール、ブタクロール、ブテナクロール、デラクロール、ジエタチル、ジメタクロール、メタザクロール、メトラクロール、Ｓ−メトラクロール、プレチラクロール、プロパクロール、プロピソクロール、プリナクロール、テルブクロール、テニルクロール、およびキシラクロールなどのクロロアセトアニリド除草剤、ベンゾフルオル、ペルフルイドン、ピリミスルファン、およびプロフルアゾールなどのスルホンアニリド除草剤、アスラム、カルバスラム、フェナスラム、およびオリザリンなどのスルホンアミド除草剤、クロルチアミドなどのチオアミド除草剤、ビラナホスなどの抗生除草剤、クロランベン、ジカンバ、２，３，６−ＴＢＡ、およびトリカンバなどの安息香酸除草剤、ビスピリバック、およびピリミノバックなどのピリミジニルオキシベンゾ酸除草剤、ピリチオバックなどのピリミジニルチオベンゾ酸除草剤、クロルタールなどのフタル酸除草剤、
アミノピラリド、クロピラリド、フロルピラウキシフェン、ハラウキシフェン、およびピクロラムなどのピコリン酸除草剤、キンクロラック、およびキンメラックなどのキノリンカルボン酸除草剤、カコジル酸、ＣＭＡ、ＤＳＭＡ、ヘキサフルレート、ＭＡＡ、ＭＡＭＡ、ＭＳＭＡ、亜ヒ酸カリウム、および亜ヒ酸ナトリウムなどのヒ素除草剤、フェンキノトリオン、ランコトリオン、メソトリオン、スルコトリオン、テフリルトリオン、およびテムボトリオンなどのベンゾイルシクロヘキサンジオン除草剤、ベンフレセート、およびエトフメセートなどのベンゾフラニル・アルキルスルホン酸除草剤、ベンザゾリンなどのベンゾチアゾール除草剤、アスラム、カルボキサゾールクロルプロカルブ、ジクロロメート、フェナシュラム、カルブチレート、およびテルブカルブなどのカルバメート除草剤、バルバン、ＢＣＰＣ、カルバスラム、カルベタミド、ＣＥＰＣ、クロルブファム、クロルプロファム、ＣＰＰＣ、デスメディファム、フェニソファム、フェンメディファム、フェンメディファム−エチル、プロファム、およびスウェップなどのカルバニレート除草剤、
アロキシジム、ブトロキシジム、クレトジム、クロプロキシジム、シクロキシジム、プロフォキシジム、セトキシジム、テプラロキシジム、およびトラルコキシジムなどのシクロヘキセンオキシム除草剤、イソキサクロルトール、およびイソキサフルトールなどのシクロプロピルイソオキサゾール除草剤、シニドン−エチル、フルメジン、フルミクロラック、ルミオキサジン、およびフルミプロピンなどのジカルボキシイミド除草剤、ベンフルラリン、ブトラリン、ジニトラミン、エタルフルラリン、フルクロラリン、イソプロパリン、メタルプロパリン、ニトラリン、オリザリン、ペンジメタリン、プロジアミン、プロフルラリン、およびトリフルラリンなどのジニトロアニリン除草剤、
ジノフェナート、ジノプロップ、ジノサム、ジノセブ、ジノテルブ、ＤＮＯＣ、エチノフェン、およびジノテルブなどのジニトロフェノール除草剤、エトキフェンなどのジフェニルエーテル除草剤、アシフルオルフェン、アクロニフェン、ビフェノックス、クロメトキシフェン、クロルニトロフェン、エトニプロミド、フルオロジフェン、フルオログリコフェン、フルオロニトロフェン、ホメサフェン、フリロキシフェン、ハロサフェン、ラクトフェン、ニトロフェン、ニトロフルオルフェン、およびオキシフルオルフェンなどのニトロフェニルエーテル除草剤、ダゾメット、およびメタムなどのジチオカルバメート除草剤、
アロラック、クロロポン、ダラポン、フルプロパネート、ヘキサクロロアセトン、ヨードメタン、メチルブロミド、モノクロロ酢酸、ＳＭＡ、およびＴＣＡなどのハロゲン化脂肪族除草剤、イマザメタベンズ、イマザモックス、イマザピック、イマザピル、イマザキン、およびイマゼタピルなどのイミダゾリノン除草剤、スルファミン酸アンモニウム、ホウ砂、塩素酸カルシウム、硫酸銅、硫酸第一鉄、アジ化カリウム、青酸カリウム、アジ化ナトリウム、塩素酸ナトリウム、および硫酸などの無機除草剤、ブロモボニル、ブロモキシニル、クロロキシニル、シクロピラニル、ジクロベニル、イソドボニル、イオキシニル、およびピラクロニルなどのニトリル除草剤、
アミプロホス−メチル、アニロホス、ベンスリド、ビラナホス、ブタミホス、２，４−ＤＥＰ、ＤＭＰＡ、ＥＢＥＰ、ホスアミド、グルホシネート、グルホシネート−Ｐ、グリホサート、およびピペロホスなどの有機リン除草剤、ブロモフェノキシム、クロメプロップ、２，４−ＤＥＢ、２，４−ＤＥＰ、ジフェノペンテン、ジスル、エルボン、エトニプロミド、フェンテラコール、およびトリホプシムなどのフェノキシ除草剤、メタゾール、オキサジアルギル、オキサジアゾンなどのオキサジアゾリン除草剤、フェノキサスルホンなどのオキサゾール除草剤、４−ＣＰＡ、２，４−Ｄ、３，４−ＤＡ、ＭＣＰＡ、ＭＣＰＡ−チオエチル、および２，４，５−Ｔなどのフェノキシ酢酸除草剤、４−ＣＰＢ、２，４−ＤＢ、３，４−ＤＢ、ＭＣＰＢ、および２，４，５−ＴＢなどのフェノキシ酪酸除草剤、クロプロップ、４−ＣＰＰ、ジクロルプロップ、ジクロルプロップ−Ｐ、３，４−ＤＰ、フェノプロップ、メコプロップ、およびメコプロップ−Ｐなどのフェノキシプロピオン酸除草剤、
クロラジホップ、クロジナホップ、クロホップ、シハロホップ、ジクロホップ、フェノキサプロップ、フェノキサプロップ−Ｐ、フェンチアプロップ、フルアジホップ、フルアジホップ−Ｐ、ハロキシホップ、ハロキシホップ−Ｐ、イソキサピリホップ、メタミホップ、プロパキザホップ、キザロホップ、キザロホップ−Ｐ、およびトリホップなどのアリールオキシフェノキシプロピオン酸除草剤、ジニトラミン、およびプロジアミンなどのフェニレンジアミン除草剤、ピロキサスルホンなどのピラゾール除草剤、ベンゾフェナップ、ピラスルホトール、ピラゾリネート、ピラゾキシフェン、トルピラレート、およびトプラメゾンなどのベンゾイルピラゾール除草剤、フルアゾレート、ニピラクロフェン、ピオキサデン、およびピラフルフェンなどのフェニルピラゾール除草剤、
クレダジン、シクロピリモレート、ピリダフォル、およびピリデートなどのピリダジン除草剤、ブロムピラゾン、クロリダゾン、ジミダゾン、フルフェンピル、メトフルラゾン、ノルフルラゾン、オキサピラゾン、およびピダノンなどのピリダジノン除草剤、アミノピラリド、クリオジナート、クロピラリド、ジチオピル、フロルピラウキシフェン、フルロキシピル、ハラウキシフェン、ハロキシジン、ピクロラム、ピコリナフェン、ピリクロル、チアゾピル、およびトリコピルなどのピリジン除草剤、イプリミダム、およびチオクロリムなどのピリミジンジアミン除草剤、シペルコート、ジエタムコート、ジフェンゾコート、ジコート、モルファムコート、およびパラコートなどの四級アンモニウム除草剤、ブチレート、シクロアート、ジ−アラート、ＥＰＴＣ、エスプロカルブ、エチオレート、イソポリネート、メチオベンカルブ、モリネート、オルベンカルブ、ペブレート、プロスルフォカルブ、ピリブチカルブ、スルファレート、チオベンカルブ、チオカルバジル、トリ−アレート、およびベルノレートなどのチオカルバメート除草剤、ジメキサノ、ＥＸＤ、およびプロキサンなどのチオカルボネート除草剤、メチウロンなどのチオ尿素除草剤、ジプロペトリン、インダジフラム、トリアジフラム、およびトリヒドロキシトリアジンなどのトリアジン除草剤、アトラジン、クロラジン、シアナジン、シプラジン、エグリナジン、イパジン、メソプラジン、プロシアジン、プログリナジン、プロパジン、セブチラジン、シマジン、テルブチラジン、およびトリエタジンなどのクロロトリアジン除草剤、アトラトン、メトメトン、プロメトン、セクブメトン、シメトン、およびテルブメトンなどのメトキシトリアジン除草剤、
アメトリン、アジプロトリン、シアナトリン、デスメトリン、ジメタメトリン、ペトプロトリン、プロメトリン、シメトリン、およびテルブトリンなどのメチルチオトリアジン除草剤、アメトリジオン、アミブジン、ヘキサジノン、イソメチオジン、メタミトロン、メトリブジン、およびトリフルジモキサジンなどのトリアジノン除草剤、アミトロール、カフェンストロール、エプロナズ、およびフルポキサムなどのトリアゾール除草剤、アミカルバゾン、ベンカルバゾン、カルフェントラゾン、フルカルバゾン、イプフェンカルバゾン、プロポキシルカルバゾン、スルフェントラゾン、およびチエンカルバゾン−メチルなどのトリアゾロン除草剤、クロランズラム、ジクロズラム、フロラズラム、フルメトズラム、メトスラム、ペノキススラム、およびピロキススラムなどのトリアゾロピリミジン除草剤、ベンゾフェンジゾン、ブロマシル、ブタフェナシル、フルプロパシル、イソシル、ラナシル、サフルファナシル、チアフェナシル、およびテルバシルなどのウラシル除草剤、
ベンズチアズロン、クミルロン、シクルロン、ジクロラルウレア、ジフルフェンゾピル、イソノルロン、イソウロン、メタベンズチアズロン、モニスロン、およびノルロンなどの尿素除草剤、アニスロン、ブツロン、クロムブロムロン、クロルエツロン、クロロトルロン、クロロクスロン、ダイムロン、ジフェノキスロン、ジメフロン、ジウロン、フェヌロン、フルオメツロン、フルオチウロン、イソプロツロン、リヌロン、メチウロン、メチルジムロン、メトベンズロン、メトブロムロン、メトキスロン、モノリヌロン、モヌロン、ネブロン、パラフルロン、フェノベンズロン、シデュロン、テトラフルロン、およびチジアズロンなどのフェニル尿素除草剤、
アミドスルロン、アジムスルロン、ベンスルフロン、クロリムロン、シクロスルファムロン、エトキシスルフロン、フラザスルフロン、フルセトスルフロン、フルピルスルフロン、フォラムスルフロン、ハロスルフロン、イマゾスルフロン、メゾスルフロン、メタゾスルフロン、ニコスルフロン、オルソスルファムロン、オキサスルフロン、プリミスルフロン、プロピリスルフロン、ピラゾスルフロン、リムスルフロン、スルホメツロン、スルホスルフロン、およびトリフロキシスルフロンなどのピリミジニルスルフォニル尿素除草剤、
クロルスルフロン、チノスルフロン、エタメットスルフロン、イオドスルフロン、イオフェンスルフロン、メットスルフロン、プロスルフロン、チフェンスルフロン、トリアスルフロン、トリベヌロン、トリフルスルフロン、およびトリトスルフロンなどのトリアジニルスルフォニル尿素除草剤、ブチウロン、エチジムロン、テブチウロン、チアザフロン、およびチジアズロンなどのチアジアゾリル尿素除草剤、ならびにアクロレイン、アリルアルコール、アミノシクロピラクロル、アザフェニジン、ベンタゾン、ベンゾビシクロン、ビシクロシロン、ブチダゾール、カルシウムシアナミド、カムベンジクロール、クロルフェナク、クロルフェンプロップ、クロルフルアゾール、クロルフレノール、シンメチリン、クロマゾン、ＣＰＭＦ、クレゾール、シアンアミド、シクロピリモレート、オルソ−ジクロロベンゼン、ジメピペレート、エンドサル、フルオロミジン、フルリドン、フルロクロリドン、フルルタモン、フルチアセット、インダノファン、メチルイソチオシアネート、ＯＣＨ、オキサジクロメホン、ペンタクロロフェノール、ペントキサゾン、フェニル水銀アセテート、プロスルファリン、ピリベンゾキシム、ピリフタリド、キノクラミン、ロデタニル、スルグリカピン、チジアジミン、トリジファン、トリメツロン、トリプロピンダン、およびトリタックなどの未分類の除草剤が含まれ得るがこれらに限定されない。
【００２４】
本発明の化合物Ｉはまた、さらなる活性化合物を含むか、またはこれらと共に、かつ／またはこれらと共に連続して適用され得る。これらのさらなる化合物は、有機化合物、無機肥料、または微量栄養供与体、または植物体の成長に影響を与える他の調製物（接種剤など）などの植物体の健康刺激薬であり得る。
【００２５】
別の実施形態では、化合物Ｉはまた、Ｂａｃｉｌｌｕｓ菌株、例えば、Ｂａｃｉｌｌｕｓ  ｓｕｂｔｉｌｉｓ  ｖａｒ．ａｍｙｌｏｉｑｕｅｆａｃｉｅｎｓ  ＦＺＢ２４（ＴＡＥＧＲＰ）（登録商標））およびＢａｃｉｌｌｕｓ  ａｍｙｌｏｉｑｕｅｆａｃｉｅｎｓ  ＦＺＢ４２（ＲＨＩＺＯＶＩＴＡＬ（登録商標））、ＶｏＴｉｖｏ（商標）Ｂａｃｉｌｌｕｓ  ｆｉｒｍｕｓ、Ｃｌａｒｉｖａ（商標）（Ｐａｓｔｅｕｒｉａ  ｎｉｓｈｉｚａｗａｅ）、Ｂａｃｉｌｌｕｓ  ｔｈｕｒｉｎｇｉｅｎｓｉｓ、Ｔｒｉｃｈｏｄｅｒｍａ  ｓｐｐ．、ならびに／または昆虫、ダニ類、線形動物、および／もしくは植物病原体に対する活性を示すそれぞれの菌株の突然変異体および代謝産物からなる群を含むがこれらに限定されない、他の生物学的微生物を含み得るか、またはこれらと共に、かつ／もしくはこれらと共に連続して適用され得る。
【００２６】
本開示の一実施形態は、真菌侵襲を防除または防止するための方法である。本方法は、化合物Ｉの殺菌有効量を、土壌、植物体、根、葉、種子、もしくは真菌の場所、または蔓延が防止されるべき場所に適用する（例えば、穀物またはグレープの植物体に適用する）ことを含む。化合物Ｉは、低い植物毒性を示しながら、殺菌レベルでの種々の種子の処理に好適である。化合物Ｉは、保護剤および／または根絶様式の両方で有用であり得る。
【００２７】
式Ｉの化合物は、特に農業用途に有意な殺菌効果を有することが分かっている。式Ｉの化合物は、農作物および園芸植物と併用するのに特に有効である。追加の利点としては、植物体の健康を向上することと、植物体の収率を向上する（例えば、バイオマスの増加および／または有価値成分の含有量の増加）ことと、植物体の活力を向上する（例えば、植物体の成長の改善および／またはより青々とした葉）ことと、植物体の質を向上する（例えば、特定の成分の含有量または組成の増大）ことと、植物体の非生物的ストレスおよび／または生物ストレスへの耐性を向上することと、が挙げられ得るがこれらに限定されない。
【００２８】
芝草は、地面の表面領域を覆うために有用な草として知られており、典型的には、ゴルフコースなどの正規メンテナンス、ならびにスポーツフィールド、芝生、市町村領域および墓地、または他の装飾用の芝土領域などの他の商業的もしくは住宅用芝草領域を対象とする。芝草は、寒い季節の芝草および暖かい季節の芝草を含む。
【００２９】
寒い季節の芝草の例には、ケンタッキーブルーグラス（Ｐｏａ  ｐｒａｔｅｎｓｉｓ  Ｌ．）、ラフブルーグラス（Ｐｏａ  ｔｒｉｖｉａｌｉｓ  Ｌ．）、カナダブルーグラス（Ｐｏａ  ｃｏｍｐｒｅｓｓａ  Ｌ．）、およびアニュアルブルーグラス（Ｐｏａ  ａｎｎｕａ  Ｌ．）などのブルーグラス（Ｐｏａ  Ｌ．）、クリーピングベントグラス（Ａｇｒｏｓｔｉｓ  ｐａｌｕｓｔｒｉｓ  Ｈｕｄｓ．）、コロニアルベントグラス（Ａｇｒｏｓｔｉｓ  ｔｅｎｉｕｓ  Ｓｉｂｔｈ．）、ベルベットベントグラス（Ａｇｒｏｓｔｉｓ  ｃａｎｉｎａ  Ｌ．）、およびレッドトップ（Ａｇｒｏｓｔｉｓ  ａｌｂａ  Ｌ．）などのベントグラス（Ａｇｒｏｓｔｉｓ  Ｌ．）、クリーピング・レッド・フェスク（Ｆｅｓｔｕｃａ  ｒｕｂｒａ  Ｌ．）、チューイングフェスク（Ｆｅｓｔｕｃａ  ｒｕｂｒａ  ｖａｒ．ｃｏｍｍｕｔａｔａ  Ｇａｕｄ．）、シープフェスク（Ｆｅｓｔｕｃａ  ｏｖｉｎａ  Ｌ．）、ハードフェスク（Ｆｅｓｔｕｃａ  ｌｏｎｇｉｆｏｌｉａ  Ｌ．）、トールフェスク（Ｆｅｓｔｕｃａ  ａｒｕｎｄｉｎａｃｅａ  Ｓｃｈｒｅｂ．）、およびメドーフェスク（Ｆｅｓｔｕｃａ  ｅｌａｔｉｏｎ  Ｌ．）などのフェスク（Ｆｅｓｔｕｃａ  Ｌ．）、ペレニアルライグラス（Ｌｏｌｉｕｍ  ｐｅｒｅｎｎｅ  Ｌ．）およびアニュアル（イタリアン）ライグラス（Ｌｏｌｉｕｍ  ｍｕｌｔｉｆｌｏｒｕｍ  Ｌａｍ．）などのライグラス（Ｌｏｌｉｕｍ  Ｌ．）、フェアリーウィートグラス（Ａｇｒｏｐｙｒｏｎ  ｃｒｉｓｔａｔｕｍ（Ｌ．）Ｇａｅｒｔｎ．）およびウエスタンウィートグラス（Ａｇｒｏｐｙｒｏｎ  ｓｍｉｔｈｉｉ  Ｒｙｄｂ．）などのウィートグラス（Ａｇｒｏｐｙｒｏｎ  Ｇａｅｒｉｎ．）が含まれるがこれらに限定されない。他の寒い季節の芝草には、スムーズブロム（Ｂｒｏｍｕｓ  ｉｎｅｒｍｉｓ  Ｌｅｙｓｓ．）およびオオアワガエリ（Ｐｈｌｅｕｍ  Ｌ．）が含まれる。
【００３０】
暖かい季節の芝草の例には、バミューダーグラス（Ｃｙｎｏｄｏｎ  Ｌ．Ｃ．Ｒｉｃｈ）、ノシバ（Ｚｏｙｓｉａ  Ｗｉｌｌｄ．）、セントオーガスチングラス（Ｓｔｅｎｏｔａｐｈｒｕｍ  ｓｅｃｕｎｄａｔｕｍ（Ｗａｌｔ．）Ｋｕｎｔｚｅ）、センチピードグラス（Ｅｒｅｍｏｃｈｌｏａ  ｏｐｈｉｕｒｏｉｄｅｓ（Ｍｕｎｒｏ．）Ｈａｃｋ．）、カーペットグラス（Ａｘｏｎｏｐｕｓ  Ｂｅａｕｖ．）、バヒアグラス（Ｐａｓｐａｌｕｍ  ｎｏｔａｔｕｍ  Ｆｌｕｇｇｅ．）、キクユグラス（Ｐｅｎｎｉｓｅｔｕｍ  ｃｌａｎｄｅｓｔｉｎｕｍ  Ｈｏｃｈｓｔ．Ｅｘ  Ｃｈｉｏｖ．）、ブッファログラス（Ｂｕｃｈｌｏｅ  ｄａｃｔｙｌｏｉｄｅｓ（Ｎｕｔｔ．）Ｅｎｇｅｌｍ．）、およびシーショアパスパラム（Ｐａｓｐａｌｕｍ  ｖａｇｉｎａｔｕｍ  ｓｗａｒｔｚ）が含まれるがこれらに限定されない。
【００３１】
特に、組成物は、暖かい季節の芝草および寒い季節の芝草の両方に感染する様々な望ましくない真菌を防除するのに有効である。組成物は、例えば、以下の代表的な真菌種を含む、様々なＡｓｃｏｍｙｃｅｔｅおよびＢａｓｉｄｉｏｍｙｃｅｔｅに対して使用され得る。炭疽病（Ｇｌｏｍｅｒｅｌｌａ  ｇｒａｍｉｎｉｃｏｌａ、Ｃｏｌｌｅｔｏｔｒｉｃｈｕｍ  ｇｒａｍｉｎｉｃｏｌａ）、Ａｓｃｏｃｈｙｔａ黒葉枯れ病（Ａｓｃｏｃｈｙｔａ  ｓｐｐ．）、冠さび病および葉腐病（Ｒｈｉｚｏｃｔｏｎｉａ  ｓｏｌａｎｉ）、ブラウンリングパッチ（Ｗａｉｔｅａ  ｃｉｒｃｉｎａｔａ）、豹紋病（Ｇｌｏｅｏｃｅｒｃｏｓｐｏｒａ  ｓｏｒｇｈｉ）。
デッドスポット（Ｏｐｈｉｏｓｐｈａｅｒｅｌｌａ  ａｇｒｏｓｔｉｓ）、ダラ−スポット（Ｓｃｌｅｒｏｔｉｎｉａ  ｈｏｍｏｅｏｃａｒｐａ）、フェアリーリング病（Ａｇａｒｉｃｕｓ  ｓｐｐ．、Ｌｅｐｉｏｔａ  ｓｐｐ．、Ｍａｒａｓｍｉｕｓ  ｏｒｅａｄｅｓ、Ｌｙｃｏｐｅｒｄｏｎ  ｓｐｐ．、Ａｇｒｏｃｙｂｅ  ｐｅｄｉａｄｅｓ、ｅｔｃ．）、グレイリーフスポット（Ｐｙｒｉｃｕｌａｒｉａ  ｇｒｉｓｅａ）、灰色の雪腐れ病（Ｔｙｐｈｕｌａ  ｓｐｐ．）、斑点病および溶けた病斑（Ｄｒｅｃｈｓｌｅｒａ  ｓｐｐ．、Ｂｉｐｏｌａｒｉｓ  ｓｐｐ．）、リーフスポットおよび紋枯病（Ｗａｉｔｅａ  ｃｉｒｃｉｎａｔａ  ｖａｒ．ｚｅａｅ、Ｗａｉｔｅａ  ｃｉｒｃｉｎａｔａ  ｖａｒ．ｏｒｙｚａｅ）、ネクロスティックリングスポット（Ｏｐｈｉｏｓｐｈａｅｒｅｌｌａ  ｓｐｐ．）、ピンクスポット（Ｌｉｍｏｎｏｍｙｃｅｓ  ｒｏｓｅｉｐｅｌｌｉｓ）、紅色雪腐病（Ｍｉｃｒｏｄｏｃｈｉｕｍ  ｎｉｖａｌｅ）、うどんこ病（Ｂｌｕｍｅｒｉａ  ｇｒａｍｉｎｉｓ）、ピシウムレッドブライト（Ｐｙｔｈｉｕｍ  ｓｐｐ．）、レッドリーフスポット（Ｄｒｅｃｈｓｌｅｒａ（Ｐｙｒｅｎｏｐｈｏｒａ）ｅｒｙｔｈｒｏｓｐｉｌａ）。赤葉腐病（Ｌａｅｔｉｓａｒｉａ  ｆｕｃｉｆｏｒｍｉｓ）、さび病（Ｐｕｃｃｉｎｉａ  ｓｐｐ．）、黒穂病（Ｕｓｔｉｌａｇｏ  ｓｐｐ．）、スプリングデッドスポット（Ｏｐｈｉｏｓｐｈａｅｒｅｌｌａ  ｋｏｒｒａｅ、Ｏ．ｈｅｒｐｏｔｒｉｃｈ、Ｏ．ｎａｒｍａｒｉ）、サマーパッチ（Ｍａｇｎａｐｏｒｔｈｅ  ｐｏａｅ）、テイクオールパッチ（Ｇａｅｕｍａｎｎｏｍｙｃｅｓ  ｇｒａｍｉｎｉｓ）、イエローパッチ（Ｒｈｉｚｏｃｔｏｎｉａ  ｃｅｒｅａｌｉｓ）、およびイエロータフト（Ｓｃｌｅｒｏｐｈｔｈｏｒａ  ｍａｃｒｏｓｐｏｒａ）。，
【００３２】
化合物Ｉは、芝草の植物病原性菌類に有意な殺菌効果を有することが分かっている。これらの疾患には芝草のダラースポットを引き起こすＳｃｌｅｒｏｔｉｎｉａ  ｈｏｍｏｅｏｃａｒｐａ、特にゴルフコース、商業用途および住宅用途に対して、炭疽病を引き起こすＧｌｏｍｅｒｅｌｌａ  ｇｒａｍｉｎｉｃｏｌａまたはＣｏｌｌｅｔｏｔｒｉｃｈｕｍ  ｇｒａｍｉｎｉｃｏｌａが含まれる。化合物Ｉは、農作物および園芸植物と併用するのに特に有効である。
【００３３】
化合物Ｉは、殺菌剤として幅広い有効性を有する。適用される活性材料の正確な量は、適用される特定の活性材料に依存するだけでなく、所望される特定の作用、防除される真菌種、およびそれらの成長段階、ならびに化合物と接触される植物体または他の生成物の一部にも依存する。したがって、化合物Ｉおよびこれを含有する製剤は、同様の濃度で、または同じ真菌種に対して、等しく有効であり得るものではない。
【００３４】
化合物Ｉは、疾患阻害量および植物学的に許容可能な量で植物体と併用するのに有効である。「疾患阻害量および植物学的に許容可能な量」という用語は、防除が望まれる植物疾患を殺傷するか、または阻害するが、植物体に対して有意な毒性がない化合物の量を指す。この量は、概して、約０．１〜約１０００ｐｐｍ（百万分率）であり、好ましくは１〜５００ｐｐｍであるだろう。必要とされる化合物の正確な濃度は、防除される真菌疾患、用いられる製剤のタイプ、適用の方法、特定の植物種、気候条件などにより異なる。好適な適用率は、典型的には、約０．１０〜約４ポンド／エーカー（約０．０１〜０．４５グラム／平方メートル、ｇ／ｍ２）の範囲である。
【００３５】
本明細書に提供される任意の範囲または所望の値は、本明細書の教示を理解するために当業者に明らかであるように、求められる効果を失うことなく、延長または変更され得る。
例：
【化２】
2020526182.tif 000004
クリーピングベントグラス上のＳｃｌｅｒｏｔｉｎｉａ  ｈｏｍｏｅｏｃａｒｐａ（ＳＣＬＥＨＯ）のフィールド評価
【００３６】
１０％の懸濁液濃縮物（ＳＣ）製剤中に適用され、かつアジュバント（Ａｇｎｉｑｕｅ  ＢＰ４２０、体積（ｖ／ｖ）当たり０．３％の体積で重量（ｗ／ｗ）当たり５０重量％）とタンク混合された、化合物Ｉを含む殺菌処理剤を、クリーピングベントグラス（Ａｇｒｏｓｔｉｓ  ｐａｌｕｓｔｒｉｓ  Ｈｕｄｓ．）の草地上に噴霧し、１ヘクタール当たり２５０および５００グラムの活性成分（ｇ  ａｉ／ｈａ）の割合で０．４５センチメートル（ｃｍ）の高さで維持した。クリーピングベントグラスのパット練習場に対する標準的な慣行に従って、灌水およびエアレーション作業を行った。処理は、４回の反復および約１×６．６メートル（ｍ）のプロットを有するランダム化完全ブロックとして設計された実験試験の一部であった。ダラースポット疾患は、その部位が過去数年間にダラースポットおよび炭疽菌の症状を完全に伴う場合の天然接種材料から発症された。カスタム構築されたブーム噴霧器を使用して、化合物Ｉの製剤を適用した。３つのＴｅｅ−Ｊｅｔ空気誘導ノズル（中間はＡＩ９５０３ＥＶＳ、両側はＡＩＵＢ８５０３ＥＶＳ）を、地面から３５．５ｃｍに位置するブーム上に約３０．４ｃｍ離れて装着した。噴霧器を較正して、ヘクタール当たり８０４リットル（Ｌ／ｈａ）送達した。市販されている殺菌剤Ｅａｇｌｅ  ２０ＥＷおよびＸｚｅｍｐｌａｒ  Ｆｕｎｇｉｃｉｄｅを、商業標準として使用し、ダラースポット防除のためにラベル割合で適用した。クリーピングベントグラスの生育期の間、すべての処理を約１４日の間隔で適用した。温度レベルは、通常であると考えられ、十分な降水量および大量の露が、未処理のプロットにおける早期のダラースポットの構築を促進した。疾患圧力の環境構成要素は、実験期間全体にわたって、中程度に高いと考えられた。
【００３７】
ダラースポット感染症（視覚的疾患重症度％）の進行は、疾患が蔓延したプロットのパーセンテージとして記録された。実験プロットを、試験中、約７〜１０日の間隔で６回（適用Ａの８〜４１日後、ＤＡＡＡ）疾患について評価した。表１のデータは、化合物Ｉの製剤が、観察期間中にダラースポット疾患を有意に減少させ、Ｅａｇｌｅ  ２０ＥＷよりも良好な防除を提供し、化合物Ｉが５００ｇ  ａｉ／ｈａで適用された場合のＸｚｅｍｐｌａｒ  Ｆｕｎｇｉｃｉｄｅと同等であることを示している。
アニュアルブルーグラス上のＧｌｏｍｅｒｅｌｌａ  ｇｒａｍｉｎｉｃｏｌａ（ＣＯＬＬＧＲ）のフィールド評価
【００３８】
１０％の乳化性濃縮物（ＥＣ）および１０％のＳＣ製剤中に適用され、かつアジュバント（Ａｇｎｉｑｕｅ  ＢＰ４２０、０．３％ｖ／ｖで５０％ｗ／ｗ）とタンク混合された、化合物Ｉを含む殺菌処理剤を、アニュアルブルーグラス（Ｐｏａ  ａｎｎｕａ）の草地上に噴霧し、１ヘクタール当たり２５０および５００グラムの活性成分（ｇ  ａｉ／ｈａ）の割合で０．４５ｃｍの高さで維持した。Ｐｏａ  ａｎｎｕａのパット練習場に対する標準的な慣行に従って、灌水およびエアレーション作業を行った。処理は、４回の反復および約１×６．６ｍのプロットを有するランダム化完全ブロックとして設計された実験試験の一部であった。炭疽病の疾患は、過去数年間にダラースポットおよび炭疽菌の症状を完全に伴う場合の天然接種材料から発症された。カスタム構築されたブーム噴霧器を使用して、化合物Ｉの製剤を適用した。３つのＴｅｅ−Ｊｅｔ空気誘導ノズル（中間はＡＩ９５０３ＥＶＳ、両側はＡＩＵＢ８５０３ＥＶＳ）を、地面から３５．５  ｃｍに位置するブーム上に約３０．４ｃｍ離れて装着した。噴霧器を較正して、８０４Ｌ／ｈａ送達した。市販されている殺菌剤Ｖｅｌｉｓｔａを、商業標準として使用し、炭疽菌防除のためにラベル割合で適用した。すべての処理剤を、アニュアルブルーグラスの生育期の間、約１４日の間隔で３回適用した。第１の適用（適用Ａ）を１０％のＥＣ製剤として噴霧した。第２および第３の処理（適用ＢおよびＣ）を、１０％のＳＣ製剤として適用した。温度レベルは、通常であると考えられ、十分な降水量および大量の露が、未処理のプロットにおける早期のダラースポットの構築を促進した。疾患圧力の環境構成要素は、実験期間全体にわたって、中程度に高いと考えられた。
【００３９】
炭疽菌感染症（視覚的疾患重症度％）の進行は、疾患が蔓延したプロットのパーセンテージとして記録された。実験プロットを、試験中、約７〜１０日の間隔で６回（適用Ａの８〜４５日後、ＤＡＡＡ）疾患について評価した。表２のデータは、化合物Ｉの製剤が、Ｐｏａ  ａｎｎｕａのパット練習場の炭疽菌の疾患の有意な防除を提供し、２５０および５００ｇ  ａｉ／ｈａの処理が、Ｖｅｌｉｓｔａによって提供される防除と同等であることを示している。
【表１】
2020526182.tif 000005
【表２】
2020526182.tif 000006
【国際調査報告】
2020526182.tif 000010